【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
弁棒と、
前記弁棒の先端側に設けられ、前記弁棒を介して駆動されるように構成された第１弁体と、
前記第１弁体が着座可能である第１弁座と、
前記弁棒の軸方向に交差する方向に沿った副シート面と、
前記第１弁体に対して前記弁棒の基端側に設けられ、前記第１弁体の閉弁時に前記副シート面に当接するように構成された副シート部と、
前記弁棒の前記軸方向に沿った付勢力を生成可能な付勢部材と、を備え、
前記第１弁体又は前記副シート部の一方は、前記弁棒に対して前記軸方向に相対変位可能であり、前記付勢部材によって前記第１弁座又は前記副シート面の一方に向かって付勢されることを特徴とする蒸気弁。
【請求項２】
前記第１弁体は、前記弁棒に対して前記軸方向に相対変位可能であり、前記第１弁体と前記弁棒との間に設けられた前記付勢部材によって前記第１弁座に向かって付勢されることを特徴とする請求項１に記載の蒸気弁。
【請求項３】
前記弁棒は、前記先端側において、前記弁棒の半径方向に突出又は陥没した凸部又は凹部を含む弁棒側係合部を有し、
前記第１弁体は、前記弁棒側係合部と係合するように前記半径方向に陥没又は突出した凹部又は凸部を含む弁体側係合部を有し、
前記弁棒側係合部は、前記第１弁体の前記弁棒に対する前記軸方向における相対変位を許容するように、前記弁体側係合部に対して遊嵌されていることを特徴とする請求項２に記載の蒸気弁。
【請求項４】
前記弁棒は、前記半径方向外側に突出する前記凸部を前記弁棒側係合部として有し、
前記弁棒側係合部としての前記凸部は、
前記弁棒の前記軸方向の弁開側を向いて前記第１弁体と対向する第１面と、
前記弁棒の前記軸方向の弁閉側を向いて前記第１弁体と対向する第２面と、
を有し、
前記第１面と前記第１弁体との間、又は、前記第２面と前記第１弁体との間の少なくとも一方に隙間が設けられる
ことを特徴とする請求項３に記載の蒸気弁。
【請求項５】
弁棒と、
前記弁棒の先端側に設けられ、前記弁棒を介して駆動されるように構成された第１弁体と、
前記第１弁体が着座可能である第１弁座と、
前記弁棒の軸方向に交差する方向に沿った副シート面と、
前記第１弁体に対して前記弁棒の基端側に設けられ、前記第１弁体の閉弁時に前記副シート面に当接するように構成された副シート部と、
前記弁棒の前記軸方向に沿った付勢力を生成可能な付勢部材と、を備え、
前記第１弁体又は前記副シート部の一方は、前記弁棒に対して前記軸方向に相対変位可能であり、前記付勢部材によって前記第１弁座又は前記副シート面の一方に向かって付勢され、
前記第１弁体は、前記弁棒に対して前記軸方向に相対変位可能であり、前記第１弁体と前記弁棒との間に設けられた前記付勢部材によって前記第１弁座に向かって付勢され、
前記弁棒は、前記先端側において、前記弁棒の半径方向に突出又は陥没した凸部又は凹部を含む弁棒側係合部を有し、
前記第１弁体は、前記弁棒側係合部と係合するように前記半径方向に陥没又は突出した凹部又は凸部を含む弁体側係合部を有し、
前記弁棒側係合部は、前記第１弁体の前記弁棒に対する前記軸方向における相対変位を許容するように、前記弁体側係合部に対して遊嵌されており、
前記弁棒は、前記半径方向外側に突出する前記凸部を前記弁棒側係合部として有し、
前記弁棒側係合部としての前記凸部は、
前記弁棒の前記軸方向の弁開側を向いて前記第１弁体と対向する第１面と、
前記弁棒の前記軸方向の弁閉側を向いて前記第１弁体と対向する第２面と、
を有し、
前記第１面と前記第１弁体との間、又は、前記第２面と前記第１弁体との間の少なくとも一方に隙間が設けられ、
前記第１弁体が前記第１弁座に着座しているとき、前記第１面と前記第１弁体との間、及び、前記第２面と前記第１弁体との間の両方に隙間が設けられる
ことを特徴とするバルブ。
【請求項６】
前記弁棒は、前記先端側において、前記弁棒の先端面に開口するように前記軸方向に延在する弁棒穴を有し、
前記付勢部材は、前記弁棒穴の内部に設けられたばねである
ことを特徴とする請求項２乃至４の何れか一項に記載の蒸気弁。
【請求項７】
前記第１弁体と前記付勢部材との間に位置して前記付勢力を前記第１弁体に伝えるとともに、前記弁棒穴に係合して前記弁棒穴によって前記軸方向に案内されるように構成された付勢力受け部をさらに備えることを特徴とする請求項６に記載の蒸気弁。
【請求項８】
前記付勢力受け部は、前記第１弁体側において少なくとも部分的に球面形状を有し、該球面形状の部分において前記第１弁体と接するように構成された
ことを特徴とする請求項７に記載の蒸気弁。
【請求項９】
前記付勢力受け部は、前記弁棒の前記軸方向に向かって凹むように前記第１弁体に形成された溝に係合する突起を有する
ことを特徴とする請求項７又は８に記載の蒸気弁。
【請求項１０】
前記第１弁座を形成する内壁面を有し、該内壁面によって画定される内部空間に前記第１弁体を収容する第２弁体と、
前記第２弁体が着座可能である第２弁座を有する弁ケーシングと、
を備え、
前記第２弁体が前記第２弁座から離れた開弁位置にあるとき、前記弁棒又は前記第１弁体の一方が前記第１弁体の開弁方向に前記第２弁体に対して付勢されるように構成された
ことを特徴とする請求項１乃至４及び６乃至９の何れか一項に記載の蒸気弁。
【請求項１１】
前記第２弁体は、前記弁棒の外周側に位置し、前記弁棒を該弁棒の前記軸方向に案内するための第１ブッシュを含み、
前記第２弁体が前記開弁位置にあるとき、前記第１ブッシュと前記弁棒との間に形成される第１室が、前記第１弁体が収容される前記第２弁体の前記内部空間の圧力よりも低圧となるように構成されたことを特徴とする請求項１０に記載の蒸気弁。
【請求項１２】
前記第１室は、前記第２弁体に対して前記弁棒及び前記第１弁体をリフトするためのリフト用隙間であることを特徴とする請求項１１に記載の蒸気弁。
【請求項１３】
前記弁棒は、前記弁棒の内部おいて前記軸方向に延びる連通路を有し、
前記第２弁体が前記開弁位置にあるとき、前記連通路を介して、前記第１室と、前記第１室よりも低圧の第２室とが連通され、
前記第２弁体が閉弁位置にあるとき、前記第１室と前記第２室とが連通しないように構成された
ことを特徴とする請求項１１又は１２に記載の蒸気弁。
【請求項１４】
前記弁ケーシングは、前記弁棒の前記軸方向に対して交差する方向に沿った前記副シート面を有し、
前記弁棒は、前記第２弁体が前記閉弁位置にあるときに前記副シート面に当接可能な前記副シート部を含み、
前記第２弁体が前記閉弁位置にあるとき、前記連通路と前記第２室とは、前記副シート部及び前記副シート面の当接部によって隔てられるように構成された
ことを特徴とする請求項１３に記載の蒸気弁。
【請求項１５】
請求項１乃至４及び６乃至１４の何れか一項に記載の蒸気弁と、
前記蒸気弁の下流側に設けられる蒸気タービンと、
を備えることを特徴とする蒸気タービン設備。
【手続補正２】
【補正対象書類名】明細書
【補正対象項目名】００５３
【補正方法】変更
【補正の内容】
【００５３】
幾つかの実施形態では、バルブ２０は、弁棒３０の軸方向に交差する方向に沿った副シート面９８Ａ，９８Ｂと、第１弁体３２が設けられる先端側に対する基端側に設けられた副シート部３３Ａ，３３Ｂと、弁棒３０の軸方向に沿った付勢力を生成可能な付勢部材と、を備える。副シート部３３Ａ，３３Ｂは、第１弁体３２の開弁時に副シート面９８Ａ，９８Ｂに当接するように構成されている。そして、第１弁体３２又は副シート部３３Ａ，３３Ｂの一方は、弁棒３０に対して弁棒３０の軸方向に相対変位可能であり、付勢部材によって第１弁座４２又は副シート面９８Ａ，９８Ｂの一方に向かって付勢される。